(57)【特許請求の範囲】
【請求項１】
第１及び第２のカラーＴＶ方式に対応し、入力される映像信号より輝度信号及び色信号を取得し、取得した輝度信号及び色信号を出力する映像信号処理回路において、
入力される映像信号がＳ入力信号の場合、第１入力端子より入力される輝度信号を第１出力端子から出力すると共に、第２入力端子より入力される色信号を第２出力端子から出力し、入力される映像信号が複合映像信号の場合、第１入力端子より入力される複合映像信号を上記第１及び第２出力端子から出力する映像信号切換回路と、
第１出力端子より入力される上記第１のカラーＴＶ方式の複合映像信号より輝度信号及び色信号を分離して出力する信号分離回路と、
第１出力端子より入力される上記第２のカラーＴＶ方式の複合映像信号から輝度信号を分離して出力する輝度信号分離回路と、
第２出力端子より入力される上記第２のカラーＴＶ方式の複合映像信号から色信号を分離して出力する色信号分離回路と、
入力される映像信号のカラーＴＶ方式が第１の方式であるのか、又は、第２の方式であるのかを特定する設定手段と、
入力される映像信号がＳ入力信号の場合、第１出力端子より出力される輝度信号及び第２出力端子より出力される色信号をそのまま出力し、入力される映像信号が複合映像信号の場合であって、上記設定手段により設定されたカラーＴＶ方式が第１の方式の場合には上記信号分離回路より出力される輝度信号及び色信号を選択して出力し、上記設定手段により設定されたカラーＴＶ方式が第２の方式の場合には上記輝度信号分離回路及び上記色信号分離回路より出力される輝度信号及び色信号を選択して出力する信号出力回路とを備えることを特徴とする映像信号処理回路。
【請求項２】
請求項１に記載の映像信号処理回路において、
上記設定手段として、入力される映像信号に基づいて、該映像信号のカラーＴＶ方式が第１の方式であるのか、又は、第２の方式であるのかを判別する判別手段を備え、
上記信号出力回路は、入力される映像信号が複合映像信号の場合、上記判別手段により判別されるカラーＴＶ方式が第１の方式の場合には上記信号分離回路より出力される輝度信号及び色信号を選択して出力し、上記設定手段により設定されたカラーＴＶ方式が第２の方式の場合には上記輝度信号分離回路及び上記色信号分離回路より出力される輝度信号及び色信号を選択して出力することを特徴とする映像信号処理回路。
【請求項３】
請求項１に記載の映像信号処理回路において、
上記指定手段として、入力される映像信号のカラーＴＶ方式として第１の方式又は第２の方式を設定するディップスイッチを備え、
上記信号出力回路は、入力される映像信号が複合映像信号の場合、上記ディップスイッチにより設定されるカラーＴＶ方式が第１の方式の場合には上記信号分離回路より出力される輝度信号及び色信号を選択して出力し、上記設定手段により設定されたカラーＴＶ方式が第２の方式の場合には上記輝度信号分離回路及び上記色信号分離回路より出力される輝度信号及び色信号を選択して出力することを特徴とする映像信号処理回路。
【請求項４】
請求項１乃至請求項３の何れかに記載の映像信号処理回路において、
上記第１の方式として、ＰＡＬ又はＮＴＳＣ方式を採用すると共に、上記第２の方式として、ＳＥＣＡＭ又はＭｏｄｉｆｉｅｄ−ＮＴＳＣ方式を採用し、
上記信号分離回路として、ＰＡＬ又はＮＴＳＣ方式の複合映像信号から輝度信号及び色信号を分離して出力するＹ／Ｃ分離回路を採用し、
上記輝度信号分離回路として、ＳＥＣＡＭ又はＭｏｄｉｆｉｅｄ−ＮＴＳＣ方式の複合映像信号から輝度信号を分離して出力するＹ分離回路を採用し、
上記色信号分離回路として、ＳＥＣＡＭ又はＭｏｄｉｆｉｅｄ−ＮＴＳＣ方式の複合映像信号から色信号を分離して出力するバンドパスフィルターを採用することを特徴とする映像信号処理回路。
【発明の詳細な説明】
【０００１】
【発明の属する技術分野】
本発明は、複数のカラーＴＶ方式に対応するマルチカラーシステムにおいて、入力される映像信号より得られる輝度信号及び色信号を出力する映像信号処理回路に関する。
【０００２】
【従来の技術】
従来、ＮＴＳＣ，ＰＡＬ，ＳＥＣＡＭ又はＭｏｄｉｆｉｅｄ−ＮＴＳＣといった複数のカラーＴＶ方式に対応し、入力される映像信号から得られる輝度信号及び色信号を出力するマルチカラーシステム用の映像信号処理回路が知られている。上記映像信号は、輝度信号に色信号を周波数多重して得られる複合映像信号を用いる場合と、各々独立した輝度信号及び色信号で構成される場合とがある。
上記複合映像信号は、その形態よりコンポジット信号と呼ばれる。
また、上記独立した輝度信号及び色信号の２つの信号で構成される映像信号は、色信号がＳ端子より入力されることからＳ入力信号、又は、その形態よりコンポーネント信号と呼ばれる。以下、独立した輝度信号及び色信号で構成される上記映像信号をＳ入力信号という。
【０００３】
図５は、従来のマルチカラーシステム用の映像信号処理回路１００の構成を示す図である。
映像信号切換回路５０は、端子５１に入力される信号を端子５４に出力すると共に、Ｓ端子５２に入力される信号を端子５５に出力する。上記映像信号切換回路５０に内蔵される判別部５６は、映像信号が複合映像信号であるのか、又は、Ｓ入力信号であるのかを判別し、該判別結果を示す判別信号Ｓ１を出力する。
【０００４】
判別部５７は、信号切換回路５０に入力される信号が白黒の画像データであるのか、又は、カラーの画像データであるのかを判別して判別信号Ｓ２を出力すると共に、カラーＴＶ方式を２つに分類して、分けて入力される信号がＰＡＬ若しくはＮＴＳＣ方式によるものか、又は、ＳＥＣＡＭ若しくはＭｏｄｉｆｉｅｄ−ＮＴＳＣ方式のものであるのかを判別し、該判別結果を示す判別信号Ｓ３を出力する。
【０００５】
Ｙ／Ｃ分離回路５８は、上記判別信号Ｓ３により示されるカラーＴＶ方式に応じて、入力される信号を所定の内部回路へ入力し、輝度信号、又は、輝度信号及び色信号を出力する。具体的には、ＰＡＬ又はＮＴＳＣ方式の複合映像信号が入力される場合には、該複合映像信号より輝度信号及び色信号を分離して出力する。ＰＡＬ又はＮＴＳＣ方式のＳ入力信号である輝度信号及び色信号が入力される場合には、当該輝度信号及び色信号をそのまま出力する。ＳＥＣＡＭ又はＭｏｄｉｆｉｅｄ−ＮＴＳＣ方式の複合映像信号が入力される場合には、輝度信号のみを分離して出力する。ＳＥＣＡＭ又はＭｏｄｉｆｉｅｄ−ＮＴＳＣ方式のＳ入力信号のうちの輝度信号が入力される場合には、当該輝度信号をそのまま出力する。
なお、上記Ｙ／Ｃ分離回路５８としては、松下電子工業株式会社製の品番ＭＮ８２３６１のＩＣがあげられる。
【０００６】
Ｙ信号出力回路５９は、判別信号Ｓ２に基づいて、２つの入力端子に入力される信号を選択して出力する。具体的には、映像信号が白黒画像のデータの場合には、端子５４から入力される白黒信号を出力する。映像信号がカラー画像の信号の場合には、Ｙ／Ｃ分離回路５８から入力される輝度信号を出力する。
【０００７】
バンドパスフィルター６０は、ＳＥＣＡＭ，Ｍｏｄｉｆｉｅｄ−ＮＴＳＣ方式の複合映像信号から色信号をろ波して出力する。
【０００８】
Ｃ信号出力回路６１は、判別信号Ｓ１，Ｓ２及びＳ３に基づいて、４つの入力端子に入力される信号の内、１つを選択して出力する。具体的には、映像信号が、ＰＡＬ，ＮＴＳＣ方式の複合映像信号及びＳ入力信号の場合、Ｙ／Ｃ分離回路５８から入力される色信号を出力する。映像信号が、ＳＥＣＡＭ又はＭｏｄｉｆｉｅｄ−ＮＴＳＣ方式のＳ入力信号の場合、端子５５から入力される色信号を出力する。映像信号が、ＳＥＣＡＭ又はＭｏｄｉｆｉｅｄ−ＮＴＳＣ方式の複合映像信号の場合、端子５４から入力されるバンドパスフィルター６０から入力される色信号を出力する。また、映像信号が、白黒画像のデータの場合には、端子５４から直接入力される輝度信号を色判別用信号として出力する。
【０００９】
以下、上記従来の映像信号処理回路１００に、ＰＡＬ，ＮＴＳＣ，ＳＥＣＡＭ又はＭｏｄｉｆｉｅｄ−ＮＴＳＣのカラーＴＶ方式の複合映像信号又はＳ入力信号が入力される各々の場合について考察する。
【００１０】
まず、映像信号切換回路５０の端子５１にＰＡＬ又はＮＴＳＣ方式による複合映像信号が入力される場合を想定する。
端子５１に入力される複合映像信号は、端子５４より出力されてＹ／Ｃ分離回路５８に入力される（矢印ｈ）。Ｙ／Ｃ分離回路５８は、入力される複合映像信号から輝度信号及び色信号が分離して、輝度信号をＹ信号出力回路５９に出力すると共に（矢印ｉ）、色信号をＣ信号出力回路６１に出力する（矢印ｊ）。
【００１１】
次に、映像信号切換回路５０の端子５１及びＳ端子５２にＰＡＬ又はＮＴＳＣ方式によるＳ入力信号が入力される場合を想定する。
端子５１に入力される輝度信号は、端子５４より出力され、Ｙ／Ｃ分離回路５８に入力される（矢印ｈ）。Ｙ／Ｃ分離回路５８に入力される輝度信号は、そのままＹ信号出力回路５９に出力される（矢印ｉ）。
また、Ｓ端子５２に入力される色信号は、端子５５より出力され、Ｙ／Ｃ分離回路５８に入力される（矢印ｋ）。Ｙ／Ｃ分離回路５８に入力される色信号は、そのままＣ信号出力回路６１に出力される（矢印ｊ）。
【００１２】
次に、映像信号切換回路５０の端子５１にＳＥＣＡＭ又はＭｏｄｉｆｉｅｄ−ＮＴＳＣ方式による複合映像信号が入力される場合を想定する。
端子５１に入力される複合映像信号は、端子５４より出力されて、Ｙ／Ｃ分離回路５８に出力されると共に、バンドパスフィルター６０に出力される（矢印ｈ及び矢印ｍ）。
Ｙ／Ｃ分離回路５８は、入力される複合映像信号から輝度信号を分離し、該分離した輝度信号をＹ信号出力回路５９に出力する（矢印ｉ）。
バンドパスフィルター６０は、入力される複合映像信号から色信号をろ波し、該ろ波した色信号をＣ信号出力回路６１に出力する（矢印ｎ）。
【００１３】
最後に、映像信号切換回路５０の端子５１及びＳ端子５２にＳＥＣＡＭ又はＭｏｄｉｆｉｅｄ−ＮＴＳＣ方式によるＳ入力信号が入力される場合を想定する。
端子５１に入力される輝度信号は、端子５４より出力され、Ｙ／Ｃ分離回路５８に入力される（矢印ｈ）。Ｙ／Ｃ分離回路５８に入力される輝度信号は、そのままＹ信号出力回路に出力される（矢印ｉ）。
また、Ｓ端子５２に入力される色信号は、端子５５より出力され、そのままＣ信号出力回路６１に出力される（矢印ｏ）。
【００１４】
【発明が解決しようとする課題】
複数のカラーＴＶ方式に対応するマルチカラーシステム用の映像処理回路には、外部より入力される各カラーＴＶ方式の映像信号（複合映像信号又はＳ入力信号）を、該映像信号から輝度信号及び色信号を分離抽出する回路に、出力するための配線が必要とされる。
【００１５】
既に述べたように、Ｙ／Ｃ分離回路５８は、ＰＡＬ又はＮＴＳＣ方式の複合映像信号の入力時には、該入力される複合映像信号より輝度信号及び色信号を分離し、これをＹ信号出力回路５９及びＣ信号出力回路６１に出力する。また、ＰＡＬ又はＮＴＳＣ方式のＳ入力信号の入力時には、別々に入力される輝度信号及び色信号をＹ信号出力回路５９及びＣ信号出力回路６１に出力する。このため、Ｙ信号出力回路５９及びＣ信号出力回路６１は、ＰＡＬ若しくはＮＴＳＣ方式の複合映像信号、又は、Ｓ入力信号の色信号を、それぞれ１本の配線（矢印ｉ及び矢印ｊで示す配線）により受け取ることができる。
【００１６】
しかし、Ｙ／Ｃ分離回路５８は、ＳＥＣＡＭ又はＭｏｄｉｆｉｅｄ−ＮＴＳＣ方式の複合映像信号より輝度信号を分離する機能、及び、該方式のＳ入力信号の輝度信号を通過させる機能は持つが、該方式の複合映像信号より色信号を分離する機能は持たない。該方式の複合映像信号より色信号を抽出するには、該複合映像信号をバンドパスフィルター６０を通過させることが必要となる。このため、Ｙ信号出力回路５９は、ＳＥＣＡＭ又はＭｏｄｉｆｉｅｄ−ＮＴＳＣ方式の輝度信号を、１本の配線（矢印ｉ）により受け取ることができるが、Ｃ信号出力回路６１は、映像信号が複合映像信号とＳ入力信号の場合で異なる配線（矢印ｏ及び矢印ｎで示す配線）から色信号を受け取ることになる。
【００１７】
このため、Ｃ信号出力回路６１には、Ｙ／Ｃ分離回路５８より出力される色信号、Ｓ端子５２及び端子５５を介して入力される色信号、色判別用信号、及び、バンドパスフィルター６０から出力される色信号の合計で４つの信号が入力されることになる。また、Ｃ信号出力回路６１は、カラーＴＶ方式及び信号の種類に応じて適切な信号を選択して出力するため、判別部５２から出力される判別信号Ｓ１、判別部５７より出力される判別信号Ｓ２及びＳ３の３つの判別信号を必要とする。
このように、従来の映像信号処理回路１００は、回路内の配線の数が多く、例えばＣ信号出力回路６１の構成が複雑であるといった問題を有していた。このことは、製品のコストアップの原因ともなっていた。
【００１８】
本発明は、より簡単な構成からなるマルチカラーシステム用の映像信号処理回路を提供することを目的とする。
【００１９】
【課題を解決するための手段】
本発明の映像信号処理回路は、第１及び第２のカラーＴＶ方式に対応し、入力される映像信号より輝度信号及び色信号を取得し、取得した輝度信号及び色信号を出力する映像信号処理回路において、入力される映像信号がＳ入力信号の場合、第１入力端子より入力される輝度信号を第１出力端子から出力すると共に、第２入力端子より入力される色信号を第２出力端子から出力し、入力される映像信号が複合映像信号の場合、第１入力端子より入力される複合映像信号を上記第１及び第２出力端子から出力する映像信号切換回路と、第１出力端子より入力される上記第１のカラーＴＶ方式の複合映像信号より輝度信号及び色信号を分離して出力する信号分離回路と、第１出力端子より入力される上記第２のカラーＴＶ方式の複合映像信号から輝度信号を分離して出力する輝度信号分離回路と、第２出力端子より入力される上記第２のカラーＴＶ方式の複合映像信号から色信号を分離して出力する色信号分離回路と、入力される映像信号のカラーＴＶ方式が第１の方式であるのか、又は、第２の方式であるのかを特定する設定手段と、入力される映像信号がＳ入力信号の場合、第１出力端子より出力される輝度信号及び第２出力端子より出力される色信号をそのまま出力し、入力される映像信号が複合映像信号の場合であって、上記設定手段により設定されたカラーＴＶ方式が第１の方式の場合には上記信号分離回路より出力される輝度信号及び色信号を選択して出力し、上記設定手段により設定されたカラーＴＶ方式が第２の方式の場合には上記輝度信号分離回路及び上記色信号分離回路より出力される輝度信号及び色信号を選択して出力する信号出力回路とを備えることを特徴とする。
【００２０】
なお、上記映像信号処理回路において、上記設定手段として、入力される映像信号に基づいて、該映像信号のカラーＴＶ方式が第１の方式であるのか若しくは第２の方式であるのかを判別する判別手段、又は、該映像信号のカラーＴＶ方式として第１の方式若しくは第２の方式を設定するディップスイッチを備え、上記信号出力回路は、入力される映像信号が複合映像信号の場合、上記判別手段又はディップスイッチにより特定される該複合映像信号のカラーＴＶ方式が第１の方式の場合には上記信号分離回路より出力される輝度信号及び色信号を選択して出力し、上記特定されたカラーＴＶ方式が第２の方式の場合には上記輝度信号分離回路及び上記色信号分離回路より出力される輝度信号及び色信号を選択して出力することとしても良い。
【００２１】
また、上記映像信号処理回路において、上記第１の方式としてＰＡＬ又はＮＴＳＣ方式を採用すると共に、上記第２の方式として、ＳＥＣＡＭ又はＭｏｄｉｆｉｅｄ−ＮＴＳＣ方式を採用し、上記信号分離回路として、ＰＡＬ又はＮＴＳＣ方式の複合映像信号から輝度信号及び色信号を分離して出力するＹ／Ｃ分離回路を採用し、上記輝度信号分離回路として、ＳＥＣＡＭ又はＭｏｄｉｆｉｅｄ−ＮＴＳＣ方式の複合映像信号から輝度信号を分離して出力するＹ分離回路を採用し、上記色信号分離回路として、ＳＥＣＡＭ又はＭｏｄｉｆｉｅｄ−ＮＴＳＣ方式の複合映像信号から色信号を分離して出力するバンドパスフィルターを採用しても良い。
【００２２】
【発明の実施の形態】
本発明のマルチカラーシステム用の映像信号処理回路は、入力される映像信号が複合映像信号の場合、該複合映像信号を、通常の複合映像信号の出力端子、及び、各々独立した輝度信号及び色信号よりなるＳ入力信号の入力時に色信号を出力する出力端子の２つの出力端子より出力する映像信号切換回路を備える。当該回路を備えることで、複合映像信号から輝度信号を分離して出力する回路と、色信号を分離して出力する回路が独立している場合に、上記色信号を出力する配線を利用して上記色信号を分離する回路へ複合映像信号を出力することが可能となる。これにより、映像信号処理回路内の配線数を少なくし、回路の簡単化及び低コスト化を図ることができる。
以下、上記特徴を具備する本発明の映像信号処理回路の実施の形態について、添付の図面を参照しつつ順に説明する。
【００２３】
（１−１）全体構成
図１は、マルチカラーシステム用の信号処理回路１の構成を示す図である。
映像信号切換回路１０は、端子１１より複合映像信号が入力される場合には、該複合映像信号を端子１４及び端子１５に出力する。また、Ｓ入力信号の入力時、即ち、端子１１より輝度信号が入力されると共に、Ｓ端子１２より色信号が入力される場合には、端子１４から輝度信号を出力すると共に、端子１５から色信号を出力する。
【００２４】
判別部１８は、信号切換回路１０に入力される信号が白黒の画像データであるのか、又は、カラーの画像データであるのかを判別し、該判別結果を示す判別信号Ｓ２を出力すると共に、入力される信号がＰＡＬ若しくはＮＴＳＣ方式によるものか、又は、ＳＥＣＡＭ若しくはＭｏｄｉｆｉｅｄ−ＮＴＳＣ方式によるものであるのかを判別し、該判別結果を示す判別信号Ｓ３を出力する。
【００２５】
Ｙ／Ｃ分離回路２０は、上記判別信号Ｓ３により示されるカラーＴＶ方式に応じて、入力される信号を所定の内部回路へ入力し、輝度信号、又は、輝度信号及び色信号を出力する。
具体的には、（ａ）ＰＡＬ又はＮＴＳＣ方式の複合映像信号が入力される場合には、該複合映像信号より輝度信号及び色信号を分離して出力し、
（ｂ）ＰＡＬ又はＮＴＳＣ方式のＳ入力信号である輝度信号及び色信号が入力される場合には、当該輝度信号及び色信号をそのまま出力し、
（ｃ）ＳＥＣＡＭ又はＭｏｄｉｆｉｅｄ−ＮＴＳＣ方式の複合映像信号が入力される場合には、輝度信号のみを分離して出力し、
（ｄ）ＳＥＣＡＭ又はＭｏｄｉｆｉｅｄ−ＮＴＳＣ方式のＳ入力信号のうちの輝度信号が入力される場合には、当該輝度信号をそのまま出力する。
なお、上記Ｙ／Ｃ分離回路２０の構成については後に説明する。
【００２６】
Ｙ信号出力回路１９は、判別信号Ｓ２に基づいて、端子１４からの白黒信号、又はＹ／Ｃ分離回路２０からの輝度信号を選択して出力する。
【００２７】
バンドパスフィルター２１は、ＳＥＣＡＭ又はＭｏｄｉｆｉｅｄ−ＮＴＳＣ方式の複合映像信号から色信号を抽出して出力する。
【００２８】
Ｃ信号出力回路２２は、判別信号Ｓ２及びＳ３に基づいて、Ｙ／Ｃ分離回路２０からの色信号、色判別用信号、バンドパスフィルター２１からの色信号のうちの１つを選択して出力する。
なお、上記色判別用信号は、輝度信号のみで構成される白黒画像のデータが端子１１に入力される場合に、端子１５より出力される輝度信号のことである。
なお、Ｃ信号出力回路２２の構成については後に説明する。
【００２９】
（１−２）映像信号切換回路の構成
以下、映像信号切換回路１０の構成について説明する。映像信号切換回路１０は、判別部１６及びスイッチ１７で構成される。端子１１は、判別部１６を介して端子１４及びスイッチ１７の入力端子に接続されている。スイッチ１７の出力端子は端子１５に接続されている。端子１２は、判別部１６を介して端子１５に接続されている。複合映像信号は、端子１１に入力される。各々独立した輝度信号及び色信号より構成されるＳ入力信号の輝度信号は端子１１に入力され、色信号は端子１２に入力される。
【００３０】
判別部１６は、Ｓ端子１２に色信号が入力されるか否かによって、入力される映像信号が輝度信号に色信号を周波数多重した複合映像信号であるのか、又は、各々独立した輝度信号及び色信号で構成されるＳ入力信号であるのかを判別し、この判別結果を表す信号Ｓ１をスイッチ１７に出力する。スイッチ１７は、判別信号Ｓ１の値が、入力信号が複合映像信号であることを意味する値のときにオンに切り換わり、入力信号がＳ入力信号であることを意味する値の場合にオフに切り換わる。
【００３１】
上記構成を採用することで、映像信号切換回路１０は、入力される映像信号が複合映像信号の場合、スイッチ１７がオンとなり、端子１１からの該複合映像信号を端子１４及び端子１５に出力するように機能する。
また、入力される信号がＳ入力信号である場合、スイッチ１７はオフとなり、端子１１からの輝度信号を端子１４に出力すると共に、Ｓ端子１２からの色信号を端子１５に出力するように機能する。
【００３２】
（１−３）判別部における判別処理内容
図２は、判別部１８において実行される判別処理の内容を示すフローチャートである。既に述べたように、判別部１８では、入力される映像信号が、白黒画像データであるのか、又は、カラー画像データであるのかといった判断と、該映像信号がＰＡＬ若しくはＮＴＳＣ方式によるものか、又は、ＳＥＣＡＭ若しくはＭｏｄｉｆｉｅｄ−ＮＴＳＣ方式によるものであるのかといった判断を行う。
なお、当該判別処理は、ハード回路により実現しても良いし、当該処理内容を実行する演算処理装置を用いてソフト的に実現しても良い。
【００３３】
まず、入力される映像信号が、複合映像信号、又は、独立した輝度信号及び色信号で構成されるＳ入力信号であるか否かについて判断する（ステップＳ１）。ここで、入力される映像信号が複合映像信号でなく、かつ、独立した輝度信号及び色信号からなるものでもない場合、即ち、輝度信号のみで構成されている場合（ステップＳ１でＮＯ）、当該映像信号を白黒画像のデータであると判断して判別信号Ｓ２を所定の値に設定する（ステップＳ２）。
【００３４】
一方、入力される映像信号が複合映像信号、又は、独立した輝度信号及び色信号で構成されるＳ入力信号である場合（ステップＳ１でＹＥＳ）、当該映像信号をカラー画像のデータと判断して判別信号Ｓ２を所定の値に設定し（ステップＳ３）、以下の処理に進む。
【００３５】
まず、ＮＴＳＣ方式の映像信号の搬送波の周波数が他のカラーＴＶ方式の映像信号の搬送波と異なる点に着目して、入力される映像信号がＮＴＳＣ方式の映像信号であるか否かを判断する。
具体的には、搬送波の周波数がＮＴＳＣ方式に固有の３．５８ＭＨｚである場合（ステップＳ４でＹＥＳ）、当該映像信号は、ＮＴＳＣ方式による信号であると判断し、判別信号Ｓ３を所定の値に設定する（ステップＳ５）。
【００３６】
次に、変調方式の違いに着目して、入力される映像信号がＳＥＣＡＭ方式の映像信号であるか否かについての判断を行う。
具体的には、搬送波の周波数がＦＭ変調したものである場合（ステップＳ６でＹＥＳ）、当該映像信号はＳＥＣＡＭ方式による映像信号であると判断し、判別信号Ｓ３を所定の値に設定する（ステップＳ７）。
【００３７】
更に、所定の信号の出力特性に基づいて、入力される映像信号がＰＡＬ方式の映像信号であるのか、又は、Ｍｏｄｉｆｉｅｄ−ＮＴＳＣ方式の映像信号であるのかの判断を行う。
具体的には、搬送波の周波数が４．４３ＭＨｚであって、Ｒ―Ｙ信号が１ライン毎に反転している場合（ステップＳ８でＹＥＳ）、当該映像信号は、ＰＡＬ方式による信号であると判断し、判別信号Ｓ３を所定の値に設定する（ステップＳ９）。
【００３８】
一方、搬送波の周波数が４．４３ＭＨｚであるが、Ｒ―Ｙ信号が１ライン毎に反転していない場合（ステップＳ８でＮＯ）、当該映像信号は、Ｍｏｄｉｆｉｅｄ−ＮＴＳＣ方式による信号であると判断し、判別信号Ｓ３を所定の値に設定する（ステップＳ１０）。
【００３９】
上記ステップＳ１〜ステップＳ１０の処理により所定の値に設定された判別結果Ｓ２及びＳ３を出力する（ステップＳ１１）。
【００４０】
なお、判別信号Ｓ２及びＳ３の値の設定は、上記の判別処理によらず、ディップスイッチを用いて人為的に設定することとしても良い。
【００４１】
（１−４）Ｙ／Ｃ分離回路２０の構成
図３は、Ｙ／Ｃ分離回路２０の構成を示す図である。スイッチ回路２５には、端子２３を介して複合映像信号又は輝度信号が入力されると共に、端子２４を介して判別部１８より出力される判別信号Ｓ３が入力される。スイッチ回路２５は、上記判別信号Ｓ３の値に基づいて切り換わり、ＳＥＣＡＭ方式とＭｏｄｉｆｉｅｄ−ＮＴＳＣ方式の複合映像信号及び輝度信号をＹ分離回路２６に出力し、ＰＡＬ方式とＮＴＳＣ方式の複合映像信号及び輝度信号をＹ／Ｃ分離回路２７に出力する。
【００４２】
Ｙ分離回路２６は、入力される信号より輝度信号を分離し、分離した輝度信号を出力する。Ｙ／Ｃ分離回路２７は、入力される信号より輝度信号及び色信号を分離し、分離した信号を出力する。Ｙ分離回路２６の出力線、及び、Ｙ／Ｃ分離回路２７の輝度信号の出力線は、共に輝度信号出力端子２８に接続されている。また、Ｙ／Ｃ分離回路２７の色信号の出力線、及び、色信号入力端子２９は、共に色信号出力端子３０に接続されている。
なお、上記Ｙ／Ｃ分離回路２０としては、松下電子工業株式会社製の品番ＭＮ８２３６１のＩＣがあげられる。
【００４３】
（１−５）Ｃ信号出力回路の構成
図４は、Ｃ信号出力回路２２の回路図である。Ｃ信号出力回路２２には、Ｙ／Ｃ分離回路２０からの色信号、色判別信号、及び、バンドパスフィルター２１からの色信号、判別結果Ｓ２（白黒／カラー）、及び、判別信号Ｓ３（ＰＡＬ．ＮＴＳＣ／ＳＥＣＡＭ，Ｍｏｄｉｆｉｅｄ−ＮＴＳＣ）が、順に信号入力端子３１〜３５に入力される。
【００４４】
Ｃ信号出力回路２２は、判別信号の入力端子、及び、２つの映像信号入力端子を備えるスイッチ３６及び３７を備える。スイッチ３６及び３７は、それぞれ入力される判別結果信号の値に応じて、映像信号入力端子に入力される２つの映像信号のうちの何れか１つを出力する。
【００４５】
スイッチ３６には、判別信号Ｓ３（ＰＡＬ，ＮＴＳＣ／ＳＥＣＡＭ，Ｍｏｄｉｆｉｅｄ−ＮＴＳＣ）、Ｙ／Ｃ分離回路２０からの色信号、及び、バンドパスフィルター２１からの色信号が入力される。スイッチ３６は、映像信号がＰＡＬ又はＮＴＳＣ方式の信号であることを示す判別信号Ｓ３の入力に応じて、Ｙ／Ｃ分離回路２０からの色信号を出力する。また、映像信号がＳＥＣＡＭ又はＭｏｄｉｆｉｅｄ−ＮＴＳＣ方式の信号であることを示す判別信号Ｓ３の入力に応じて、バンドパスフィルター２１からの色信号を出力する。
【００４６】
スイッチ３７には、判別信号Ｓ２（白黒／カラー）、スイッチ３６から出力される色信号、及び、色判別用信号が入力される。スイッチ３７は、映像信号が白黒画像のデータであることを示す判別信号Ｓ２の入力に応じて、輝度信号である色判別用信号を出力する。また、映像信号がカラー画像のデータであることを示す判別信号Ｓ２の入力に応じて、スイッチ３６から出力される色信号を出力端子３８に出力する。
【００４７】
（１−６）各カラーＴＶ方式による映像信号の流れ
以下、図１を参照しつつ上記映像信号処理回路１に、ＰＡＬ，ＮＴＳＣ，ＳＥＣＡＭ又はＭｏｄｉｆｉｅｄ−ＮＴＳＣのカラーＴＶ方式の複合映像信号又はＳ入力信号が入力される場合について考察する。
【００４８】
まず、映像信号切換回路１０の端子１１にＰＡＬ又はＮＴＳＣ方式による複合映像信号が入力される場合を想定する。
この場合、映像信号切換回路１０は、端子１４及び端子１５より複合映像信を出力する。端子１４より出力される複合映像信号は、Ｙ／Ｃ分離回路２０に入力される（矢印ａ）。Ｙ／Ｃ分離回路２０は、入力される複合映像信号から輝度信号及び色信号が分離し、輝度信号をＹ信号出力回路１９に出力すると共に（矢印ｂ）、色信号をＣ信号出力回路６１に出力する（矢印ｃ）。
なお、ＰＡＬ又はＮＴＳＣ方式による複合映像信号の入力時、Ｙ／Ｃ分離回路２０及びＣ信号出力回路６１は、端子１５より出力される複合映像信号を無効データとして取り扱う。
【００４９】
次に、映像信号切換回路１０にＰＡＬ又はＮＴＳＣ方式によるＳ入力信号が入力される場合、即ち、端子１１に輝度信号が入力されると共に、Ｓ端子１２に色信号が入力される場合を想定する。
映像信号切換回路１０は、端子１１に入力された輝度信号を端子１４より出力する。端子１４より出力された輝度信号は、Ｙ／Ｃ分離回路２０に入力出力する（矢印ａ）。Ｙ／Ｃ分離回路２０は、入力される輝度信号をそのままＹ信号出力回路５９に出力する（矢印ｂ）。
映像信号切換回路１０は、Ｓ端子１２に入力された色信号を端子端子１５より出力する。端子１５より出力される色信号は、Ｙ／Ｃ分離回路２０に入力される（矢印ｄ）。Ｙ／Ｃ分離回路２０は、入力される色信号をそのままＣ信号出力回路６１に出力する（矢印ｃ）。
【００５０】
次に、映像信号切換回路１０の端子５１にＳＥＣＡＭ又はＭｏｄｉｆｉｅｄ−ＮＴＳＣ方式による複合映像信号が入力される場合を想定する。
映像信号切換回路１０は、端子１１より入力される複合映像信号を端子１４及び端子１５から出力する。端子１４より出力される複合映像信号は、Ｙ／Ｃ分離回路２０に出力される（矢印ａ）。Ｙ／Ｃ分離回路２０は、入力される複合映像信号から輝度信号を分離し、該分離した輝度信号をＹ信号出力回路１９に出力する（矢印ｂ）。
端子１５より出力される複合映像信号は、バンドパスフィルター２１に出力される（矢印ｅ）。バンドパスフィルター２１は、入力される複合映像信号から色信号をろ波し、該ろ波した色信号をＣ信号出力回路２２に出力する（矢印ｆ）。
【００５１】
最後に、映像信号切換回路１０にＳＥＣＡＭ又はＭｏｄｉｆｉｅｄ−ＮＴＳＣ方式によるＳ入力信号が入力される場合、即ち、端子１１に輝度信号が入力されると共に、Ｓ端子１２に色信号が入力される場合を想定する。
映像信号切換回路１０は、端子１１より入力される輝度信号を端子１４より出力する。端子１４より出力される輝度信号は、Ｙ／Ｃ分離回路２０に入力される（矢印ａ）。Ｙ／Ｃ分離回路２０に入力される輝度信号は、そのままＹ信号出力回路１９に出力される（矢印ｂ）。
映像信号切換回路１０は、端子１２より入力される色信号を端子１５より出力する。端子１５より出力される色信号は、バンドパスフィルター２１に出力される（矢印ｇ）。バンドパスフィルター２１は、入力される色信号をそのままＣ信号出力回路２２に出力する（矢印ｆ）。
【００５２】
以上、説明するように、映像信号処理回路１は、複合映像信号の入力時に通常の出力端子１４と、色信号の出力端子の２つの出力端子１５より該複合映像信号を出力する映像信号切換回路１０を内蔵することで、ＰＡＬ及びＮＴＳＣ方式の複合映像信号及びＳ入力信号を１本の配線（矢印ｂで示す）で受け取ることができると共に、ＳＥＣＡＭ及びＭｏｄｉｆｉｅｄ−ＮＴＳＣ方式の複合映像信号及びＳ入力信号の色信号を、１本の配線（矢印ｆで示す配線）により受け取ることができる。
【００５３】
このため、Ｃ信号出力回路２２は、Ｙ／Ｃ分離回路２０より出力される色信号、色判別用信号、及び、バンドパスフィルター２１より出力される色信号の合計で３つの信号が入力される。上記”従来の技術”の欄において説明した従来の映像信号処理回路１００（図５を参照）の有するＣ信号出力回路６１に比べると、入力される信号の数を１つ少なくすることができる。
【００５４】
また、Ｃ信号出力回路２２は、入力される映像信号のカラーＴＶ方式に応じて適切な信号を選択して出力するため、判別部１８より出力される判別信号Ｓ２（白黒／カラー）、及びＳ３（ＰＡＬ，ＮＴＳＣ／ＳＥＣＡＭ，Ｍｏｄｉｆｉｅｄ−ＮＴＳＣ）の２つの判別信号を必要とする。上記”従来の技術”の欄において説明した従来の映像信号処理回路１００に比べ、判別に要する判別信号の数は１つ少なくなる。これは、ＳＥＣＡＭ及びＭｏｄｉｆｉｅｄ−ＮＴＳＣ方式の複合映像信号及びＳ入力信号の色信号を、１本の配線（矢印ｆで示す配線）により受け取ることができるようになったためである。
【００５５】
以上、説明するように、映像信号処理回路１では、映像信号切換回路１０を採用することで、Ｃ信号出力回路２２に入力される信号線の数を２本減らすことができる。このためＣ信号出力回路２２の回路構成を簡単にすることができると共に映像信号処理回路１の構成自体を簡単にすることができる。これにより、装置の低コスト化を図ることができる。
【００５６】
【発明の効果】
本発明の映像信号処理回路は、入力される映像信号が複合映像信号の場合、該複合映像信号を、通常の複合映像信号の出力端子及びＳ入力信号の入力時に色信号を出力する出力端子の２つの出力端子より出力する映像信号切換回路を備える。これにより、複合映像信号から輝度信号を分離して出力する回路と、色信号を分離して出力する回路が独立している場合に、上記色信号を出力する配線を利用して上記色信号を分離する回路へ複合映像信号を出力することが可能となる。これにより、映像信号処理回路内の配線数を少なくし、回路の簡単化及び低コスト化を図ることができる。
【図面の簡単な説明】
【図１】実施の形態にかかる映像信号処理回路の構成を示す図である。
【図２】判別部の実行する処理の内容を示すフローチャートである。
【図３】Ｙ／Ｃ分離回路の構成を示す図である。
【図４】Ｃ信号出力回路の構成を示す図である。
【図５】従来の映像信号処理回路の構成を示す図である。
【符号の説明】
１，５７  映像信号処理回路、１０，５０  映像信号切換回路、１６，１８，５６、５７  判別部、１７，２９，３０  スイッチ、１９，５９  Ｙ信号出力回路、２０，５８  Ｙ／Ｃ分離回路、２１，６０  バンドパスフィルター、２２，６１  Ｃ信号出力回路
【図１】
0003572198.tif 000002
【図２】
0003572198.tif 000003
【図３】
0003572198.tif 000004
【図４】
0003572198.tif 000005
【図５】
0003572198.tif 000006